(57)【要約】【課題】  車椅子利用者用の操作盤のボタン操作に基づいて乗りかごを戸開閉するときに、必要以上に戸開時間が長くなることを回避するエレベータ制御装置を提供する。【解決手段】  実施形態によればエレベータ制御装置は、戸開閉制御部を有する。戸開閉制御部は、車椅子利用者用の行き先階登録ボタンが操作され、該当する行き先階でエレベータの扉を戸開した後、所定時間が経過したときに、乗りかご内の利用者が検出されず、且つ、戸開している階の乗場の乗場呼びボタン操作による乗場呼び登録がなければ、車椅子利用者用に設定された戸開時間に基づいて戸開後の自動戸閉を行う車椅子モードを解除する。【選択図】図３
2015044651.tif 000002
【特許請求の範囲】
【請求項１】
エレベータの乗りかご内に設置された、一般利用者用の行き先階登録ボタンおよび車椅子利用者用の行き先階登録ボタンと、前記エレベータの各階床の乗場に設置された乗場呼びボタンと、前記乗りかご内の利用者を検出するかご内利用者検出手段とに接続され、
前記一般利用者用の行き先階登録ボタンが操作されたときには、該当する行き先階で前記エレベータの扉を戸開した後、自動戸閉するまでの時間を、通常戸開時間に設定した通常モードで戸開閉制御を実行し、
前記車椅子利用者用の行き先階登録ボタンが操作されたときには、該当する行き先階で前記エレベータの扉を戸開した後、自動戸閉するまでの時間を、通常戸開時間よりも長い車椅子用戸開時間に設定した車椅子モードに切り替えて戸開閉制御を実行するエレベータ制御装置において、
前記車椅子利用者用の行き先階登録ボタンが操作され、該当する行き先階で前記エレベータの扉を戸開した後、前記通常戸開時間よりも短い所定時間が経過したときに、前記かご内利用者検出手段で前記乗りかご内の利用者が検出されず、且つ、前記戸開している階の乗場の乗場呼びボタン操作による乗場呼び登録がないときには、前記車椅子モードを解除する戸開閉制御部
を有することを特徴とするエレベータ制御装置。
【請求項２】
前記かご内利用者検出手段は、前記乗りかごに設置された荷重検出装置、監視カメラ装置、または人感センサで構成される
ことを特徴とする請求項１に記載のエレベータ制御装置。
【請求項３】
前記戸開閉制御部は、前記車椅子モードを解除した後、直ちに戸閉する
ことを特徴とする請求項１または２に記載のエレベータ制御装置。
【請求項４】
前記戸開閉制御部は、前記車椅子利用者用の行き先階登録ボタンが操作され、該当する行き先階で前記エレベータの扉を戸開した後、前記通常戸開時間よりも短い所定時間が経過したときに、前記かご内利用者検出手段で前記乗りかご内の利用者が検出されず、前記戸開している階以外の階を指定する行き先階登録がなく、且つ、前記戸開している階の乗場の乗場呼びボタン操作による乗場呼び登録がないときに、前記車椅子モードを解除する
ことを特徴とする請求項１〜３いずれか１項に記載のエレベータ制御装置。
【発明の詳細な説明】
【技術分野】
【０００１】
本発明の実施形態は、エレベータ制御装置に関する。
【背景技術】
【０００２】
従来、エレベータ乗場や乗りかご内に、一般利用者用の操作盤と車椅子利用者用の操作盤とが設置されたエレベータがある。当該エレベータでは、車椅子利用者用の操作盤内のボタンが操作されたときは、一般利用者用の操作盤内のボタンが操作されたときよりも、エレベータ扉の戸開から自動戸閉までの時間が長くなるように制御される。
【０００３】
このように制御されることにより、車椅子利用者がエレベータに乗降する際に、健常者よりも長く時間を要する場合でも、利用者の安全を確保することができる。
【先行技術文献】
【特許文献】
【０００４】
【特許文献１】特開平５−１０５３７８号公報
【発明の概要】
【発明が解決しようとする課題】
【０００５】
しかし、利用者の中には健常者でありながら車椅子利用者用の操作盤でボタン操作をしてエレベータを利用する人がいる。その場合には必要以上に戸開時間が長くなるために他階の乗場でエレベータを待つ利用者の待ち時間が長くなってしまい、不都合が生じるという問題があった。
【０００６】
本発明は上記事情に鑑みてなされたものであり、車椅子利用者用の操作盤のボタン操作に基づいて乗りかごを戸開閉するときに、必要以上に戸開時間が長くなることを回避するエレベータ制御装置を提供することを目的とする。
【課題を解決するための手段】
【０００７】
上記目的を達成するための実施形態によればエレベータ制御装置は、戸開閉制御部を有する。戸開閉制御部は、車椅子利用者用の行き先階登録ボタンが操作され、該当する行き先階でエレベータの扉を戸開した後、所定時間が経過したときに、乗りかご内の利用者が検出されず、且つ、戸開している階の乗場の乗場呼びボタン操作による乗場呼び登録がなければ、車椅子利用者用に設定された戸開時間に基づいて戸開後の自動戸閉を行う車椅子モードを解除する。
【図面の簡単な説明】
【０００８】
【図１】一実施形態によるエレベータ制御装置を利用したエレベータシステムの構成を示す全体図。
【図２】一実施形態によるエレベータ制御装置で制御するエレベータの乗りかご内の構成を示す外観図。
【図３】一実施形態によるエレベータ制御装置の構成を示すブロック図。
【図４】一実施形態によるエレベータ制御装置の動作を示すフローチャート。
【発明を実施するための形態】
【０００９】
〈一実施形態によるエレベータシステムの構成〉
本発明の一実施形態によるエレベータ制御装置を利用したエレベータシステムの構成について、図１を参照して説明する。
【００１０】
本実施形態においてエレベータシステム１は、３階建ての建物に設置されたエレベータを管理し、昇降路２上部に設置された巻上げ機３と、巻上げ機３に掛け渡されたメインロープ４の一端に吊り下げられた乗りかご５と、他端に吊り下げられた釣り合いおもり６と、１階乗場７−１に設置された乗場扉７１−１および乗場呼びボタン７２−１と、２階乗場７−２に設置された乗場扉７１−２および乗場呼びボタン７２−２と、３階乗場７−３に設置された乗場扉７１−３および乗場呼びボタン７２−３と、巻上げ機３、乗りかご５内の機器、および各乗場７−１〜７−３の機器の動作を制御するエレベータ制御装置８とを備える。
【００１１】
乗りかご５は、かご扉５１と、乗りかご５にかかっている荷重量を検出する荷重検出装置５２とを有するとともに、図２に示すように、乗りかご５内のかご扉５１付近に設置された一般利用者用操作盤５３と、壁面に設置された車椅子利用者用操作盤５４とを有する。
【００１２】
一般利用者用操作盤５３は、かご内表示装置５３１と、一般利用者用行き先階登録ボタン群５３２と、一般利用者用戸開閉ボタン群５３３とを有する。車椅子利用者用操作盤５４は、車椅子利用者用行き先階登録ボタン群５４１と、車椅子利用者用戸開閉ボタン群５４２とを有する。
【００１３】
エレベータ制御装置８は、図３に示すように、信号入力部８１と、呼び登録部８２と、昇降制御部８３と、戸開閉制御部８４とを有する。
【００１４】
信号入力部８１は、乗りかご５内の一般利用者用操作盤５３の操作により送出された行き先階登録信号、車椅子利用者用操作盤５４の操作により送出された行き先階登録信号、乗場呼びボタン７２−１〜７２−３の操作により送出された乗場呼び信号、および、荷重検出装置５２で検出された荷重量を示す荷重検出信号を入力する。
【００１５】
呼び登録部８２は、信号入力部８１から入力された行き先階登録信号に基づいて行き先階情報を登録し、信号入力部８１から入力された乗場呼び信号に基づいて乗場呼び情報を登録する。
【００１６】
昇降制御部８３は、呼び登録部８２に登録された情報に基づいて巻上げ機３を駆動して、乗りかご５を昇降させる。
【００１７】
戸開閉制御部８４は、呼び登録部８２に登録された情報に基づいて、乗場扉７１−１〜７１−３およびかご扉５１の戸開閉を制御する。
【００１８】
具体的には、一般利用者用行き先階登録ボタン群５３２の操作により行き先階情報が登録されたときには、当該行き先階でかご扉５１および該当する乗場扉を戸開した後、自動戸閉するまでの時間を、予め設定された通常戸開時間（例えば５秒間）に設定した通常モードで戸開閉制御を実行し、車椅子利用者用行き先階登録ボタン群５４１の操作により行き先階情報が登録されたときには、当該行き先階でかご扉５１および該当する乗場扉を戸開した後、自動戸閉するまでの時間を、通常戸開時間よりも長い車椅子用戸開時間（例えば１０秒間）に設定した車椅子モードに切り替えて、戸開閉制御を実行する。
【００１９】
その際、車椅子利用者用行き先階登録ボタン群５４１の中のボタン操作により行き先階情報が登録され、当該行き先階でかご扉５１および該当する乗場扉を戸開した後、通常戸開時間よりも短い所定時間（例えば３秒間）が経過したときに、荷重検出装置５２で検出された乗りかご５の荷重量が「ゼロ」であり、戸開している階以外の階を指定する行き先階登録情報がなく、且つ、戸開している階の乗場の乗場呼びボタン操作による乗場呼び登録情報がないときには、車椅子モードを解除して通常モードで戸開閉制御を実行する。
【００２０】
〈一実施形態によるエレベータシステムの動作〉
次に、本実施形態によるエレベータシステム１の動作について説明する。図５は、エレベータシステム１の乗りかご５内で行き先階登録操作が行われたときに、エレベータ制御装置８で実行される処理を示すフローチャートである。
【００２１】
本実施形態においては、乗りかご５が「２階」に着床しているときに、乗りかご５内の利用者により車椅子利用者用行き先階登録ボタン群５４１内の「１階」ボタンが操作された場合を例に説明する。
【００２２】
まず、行き先階登録ボタン群５４１内の「１階」ボタンが操作されると（Ｓ１の「YES」）、「１階」を行き先階とする行き先階登録信号が送出される。送出された行き先階登録信号は、エレベータ制御装置８に信号入力部８１から入力され、呼び登録部８２に行き先階情報「１階」が登録される。
【００２３】
呼び登録部８２に行き先階情報「１階」が登録された後、戸開閉制御部８４によりかご扉５１および乗場扉７１−２が戸閉され、昇降制御部８３により巻上げ機３が駆動されて乗りかご５が「１階」に移動される（Ｓ２）。
【００２４】
乗りかご５が１階に着床して戸開閉制御部８４によりかご扉５１および乗場扉７１−１が戸開されると（Ｓ３）、戸開閉制御部８４により、現在対応中の行き先階情報が一般利用者用行き先階登録ボタン群５３２の操作によるものか、または車椅子利用者用行き先階登録ボタン群５４１の操作によるものかが判定される（Ｓ４）。
【００２５】
本実施形態においては車椅子利用者用行き先階登録ボタン群５４１の操作によるものと判定され（Ｓ４の「YES」）て車椅子モードに切り替えられ、予め設定された所定時間（例えば３秒間）が経過したか否かが判定される（Ｓ５）。
【００２６】
所定時間が経過したと判定されると（Ｓ５の「YES」）、荷重検出装置５２から送出された乗りかご５の荷重量を示す荷重検出信号が信号入力部８１から入力され、戸開閉制御部８４で取得される。
【００２７】
戸開閉制御部８４では、乗りかご５の荷重量が「ゼロ」、つまり乗りかご５内に乗車している人がなく（Ｓ６の「YES」）、戸開している「１階」以外の階（「２階」、「３階」）を指定する行き先階登録情報が呼び登録部８２になく（Ｓ７の「YES」）、且つ、戸開している階の乗場の乗場呼びボタン操作による乗場呼び登録情報が呼び登録部８２にない（Ｓ８の「NO」）ときには車椅子モードが解除されて通常モードに戻り、自動戸閉するまでの時間が通常戸開時間の「５秒」として設定され、戸開閉制御が行われる（Ｓ９）。
【００２８】
ステップＳ６において、乗りかご５の荷重量が「ゼロ」でなく乗りかご５内に利用者がいると判定されたとき（Ｓ６の「NO」）、またステップＳ７において、戸開している「１階」以外の階（「２階」、「３階」）を指定する行き先階登録情報が呼び登録部８２にあると判定されたとき（Ｓ７の「YES」）、またステップＳ８において、戸開している「１階」の乗場７−１の乗場呼びボタン７２−１の操作による乗場呼び登録情報が呼び登録部８２にあると判定されたとき（Ｓ８の「YES」）は、自動戸閉するまでの時間が車椅子モードにおける車椅子用戸開時間の「１０秒」として設定され、戸開閉制御が行われる（Ｓ１０）。
【００２９】
また、ステップＳ４において、現在対応中の行き先階情報が一般利用者用行き先階登録ボタン群５３２の操作によるものであると判定されると（Ｓ４の「NO」）、ステップＳ９に移り、自動戸閉するまでの時間が通常戸開時間の「５秒」として設定され、戸開閉制御が行われる（Ｓ９）。
【００３０】
以上の本実施形態によれば、健常者が乗りかご内の車椅子利用者用の行き先階登録ボタンを操作した場合に、必要以上に戸開時間が長くなり、他階の乗場でエレベータを待つ利用者の待ち時間が長くなることを回避することができる。
【００３１】
上述した実施形態においては、乗りかご内に乗車している人がいるか否かを荷重検出装置にかかる荷重量に基づいて検出する場合について説明したが、これには限定されず、乗りかご内に設置された監視カメラで撮影された映像情報を解析することにより検出したり、乗りかご内に設置した人感センサの検出情報に基づいて検出するようにしてもよい。
【００３２】
また上述した実施形態においては、車椅子利用者用の行き先階登録ボタンが操作され、該当する行き先階でエレベータの扉を戸開した後、所定時間が経過したときに、乗りかご内に利用者がいなく、戸開している階以外の階を指定する行き先階登録がなく、且つ、戸開している階の乗場の乗場呼びボタン操作による乗場呼び登録がないときに車椅子モードを解除して通常モードに戻るように切り替える場合について説明したが、通常モードによる戸開時間をまたずに直ちに戸閉するようにしてもよい。
【００３３】
また上述した実施形態においては、車椅子利用者用の行き先階登録ボタンが操作され、該当する行き先階でエレベータの扉を戸開した後、所定時間が経過したときに、乗りかご内に利用者がいなく、戸開している階以外の階を指定する行き先階登録がなく、且つ、戸開している階の乗場の乗場呼びボタン操作による乗場呼び登録がないときに車椅子モードを解除する場合について説明したが、戸開している階以外の階を指定する行き先階登録があるか否かの判定は行わず、乗りかご内に利用者がいなく、且つ、戸開している階の乗場の乗場呼びボタン操作による乗場呼び登録がないことが確認できれば車椅子モードを解除するようにしてもよい。
【００３４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３５】
１…エレベータシステム
２…昇降路
３…巻上げ機
４…メインロープ
５…乗りかご
６…釣り合いおもり
７−１〜７−３…乗場
８…エレベータ制御装置
５１…かご扉
５２…荷重検出装置
５３…一般利用者用操作盤
５４…車椅子利用者用操作盤
７１−１〜７１−３…乗場扉
７２−１〜７２−３…乗場呼びボタン
８１…信号入力部
８２…呼び登録部
８３…昇降制御部
８４…戸開閉制御部
５３１…かご内表示装置
５３２…一般利用者用行き先階登録ボタン群
５３３…一般利用者用戸開閉ボタン群
５４１…車椅子利用者用行き先階登録ボタン群
５４２…車椅子利用者用戸開閉ボタン群
【図１】
2015044651.tif 000003
【図２】
2015044651.tif 000004
【図３】
2015044651.tif 000005
【図４】
2015044651.tif 000006